(57)【要約】【課題】  ＬＡＮ端子とＨＤＭＩ端子の両方に接続する映像音声送信装置からは、ＨＤＭＩ端子経由で映像音声データを受信するようにする。【解決手段】  ＨＤＭＩ端子（２６、２８）に映像音声送信装置が接続されているかどうかを調べ、接続されている場合には、ＨＤＭＩ端子（２６、２８）からＩＰアドレス要求コマンドを送信して当該映像音声送信装置のＬＡＮ側のＩＰアドレスを取得し、記憶する。ＬＡＮ端子（２４）に接続するネットワークのＤＬＮＡデバイスを検出する。ユーザにより選択されたＤＬＮＡデバイスのＩＰアドレスが、先に記憶したＩＰアドレスと一致するかどうかを調べる。一致する場合、ＨＤＭＩ端子（２６、２８）経由で、当該映像音声送信装置から映像音声データを受信する。【選択図】  図１
2009200788.tif 000002
【特許請求の範囲】
【請求項１】
ネットワークインターフェースと、映像音声データの伝送のためのデジタルインターフェースを有する受信装置であって、
前記ネットワークインターフェースに接続するネットワークにある映像音声送信装置を検出する手段と、
前記デジタルインターフェースに接続する映像音声送信装置を検出する手段と、
前記デジタルインターフェースからの映像音声データ及び前記ネットワークインターフェースからの映像音声データを受信処理する受信手段と、
前記映像音声送信装置が前記ネットワークインターフェースを介して接続している場合であっても前記デジタルインターフェースに接続されている場合には、前記デジタルインターフェースを介して前記映像音声送信装置から映像音声データを受信し、前記映像音声送信装置が前記デジタルインターフェースに接続されておらず前記ネットワークインターフェースを介して接続している場合には、前記ネットワークインターフェースを介してデータを受信するように前記ネットワークインターフェース及び前記デジタルインターフェースを制御する制御手段
とを具備することを特徴とする受信装置。
【請求項２】
前記制御手段は、前記映像音声送信装置が前記デジタルインターフェースに接続されている場合は、前記デジタルインターフェースを介して前記映像音声送信装置を制御し、前記映像音声送信装置が前記デジタルインターフェースに接続されていない場合は、前記ネットワークインターフェースを介して前記映像音声送信装置を制御することを特徴とする請求項１に記載の受信装置。
【請求項３】
前記ネットワークに複数の前記映像音声送信装置が検出された場合に、１つの映像音声送信装置を指定し、前記１つの映像音声送信装置に複数の映像音声情報がある場合に、受信すべき映像音声情報を指定する指定手段を具備することを特徴とする請求項１又は２に記載の受信装置。
【請求項４】
前記制御手段は、
前記デジタルインターフェースを介して前記デジタルインターフェースに接続する映像音声送信装置の識別情報を取得する手段と、
前記ネットワークインターフェースを介して前記ネットワークインターフェースに接続する映像音声送信装置の識別情報を取得する手段と、
前記デジタルインターフェースを介して取得した識別情報と、前記ネットワークインターフェースを介して取得した識別情報とから、前記デジタルインターフェースと前記ネットワークインターフェースに接続する前記映像音声送信装置を検出する手段
とを具備することを特徴とする請求項１乃至３のいずれか１項に記載の受信装置。
【請求項５】
前記識別情報が、ネットワークアドレス、デジタルインターフェースアドレス又はデバイス名であることを特徴とする請求項４に記載の受信装置。
【請求項６】
前記制御手段は、
前記デジタルインターフェースを介して前記デジタルインターフェースに接続する映像音声送信装置からネットワークアドレスを取得する手段と、
取得された前記ネットワークアドレスを持つ前記映像音声送信装置が前記ネットワークインターフェースに接続するか否かを検出する手段
とを具備する
ことを特徴とする請求項１乃至３のいずれか１項に記載の受信装置。
【請求項７】
前記制御手段は、
前記ネットワークインターフェースを介して前記ネットワークインターフェースに接続する映像音声送信装置からデバイス名又はデジタルインターフェースアドレスからなる識別情報を取得する手段と、
取得された前記識別情報を持つ前記映像音声送信装置が前記デジタルインターフェースに接続するか否かを検出する手段
とを具備する
ことを特徴とする請求項１乃至３のいずれか１項に記載の受信装置。
【発明の詳細な説明】
【技術分野】
【０００１】
本発明は、映像音声などのデジタルデータを受信する受信装置に関する。
【背景技術】
【０００２】
従来、地上デジタル放送などのデジタル放送を受信するデジタルテレビが知られている。デジタルテレビの使用法として、受信した放送番組の映像を表示するのが一般的である。しかし、ビデオカメラ、ＤＶＤレコーダ又はＨＤＤレコーダなどの外部映像音声機器を接続し、これら外部映像音声機器からの映像音声を再生出力するという使い方もある。
【０００３】
デジタルテレビと外部映像音声機器とを接続するインターフェイスとして、ＨＤＭＩ（High-Definition Multimedia Interface）が知られている（例えば、特許文献１参照）。ＨＤＭＩにはまた、デジタルテレビからＨＤＭＩで接続されている外部映像音声機器を制御するコマンド、即ちＣＥＣ（Consumer Electronics Control）コマンドが実装されている。
【０００４】
また、デジタルテレビと外部映像音声機器を接続する方法として、家庭内ＬＡＮのＩＰネットワークを利用したＤＬＮＡ（Digital Living Network Alliance）も普及してきている。ＤＬＮＡでは、映像音声を含むコンテンツを提供するデジタルメディアサーバ（Digital Media Server）と、コンテンツを再生出力するデジタルメディアプレーヤ（Digital Media Player）が存在する。外部映像音声機器がデジタルメディアサーバとして動作し、デジタルテレビがデジタルメディアプレーヤとして動作することで、外部映像音声機器の映像音声がデジタルテレビから再生出力できる。
【特許文献１】特開２００６−３１９５０２号公報
【発明の開示】
【発明が解決しようとする課題】
【０００５】
ＨＤＭＩとＤＬＮＡが普及した場合、デジタルテレビがＨＤＭＩとＤＬＮＡの両方のインターフェイスを持つことも考えられる。
【０００６】
ＨＤＭＩとＤＬＮＡの両方で外部映像音声機器がデジタルテレビに接続されている場合で、ネットワークの帯域が他のネットワーク機器に使用されていると、ＤＬＮＡではコンテンツを再生できないという問題がある。
【０００７】
またＤＬＮＡ経由の場合、コンテンツに対する操作が限定的になることがある。
【０００８】
本発明は、このような不都合を解消した受信装置を提示することを目的とする。
【課題を解決するための手段】
【０００９】
本発明に係る受信装置は、ネットワークインターフェースと、映像音声データの伝送のためのデジタルインターフェースを有する受信装置であって、前記ネットワークインターフェースに接続するネットワークにある映像音声送信装置を検出する手段と、前記デジタルインターフェースに接続する映像音声送信装置を検出する手段と、前記デジタルインターフェースからの映像音声データ及び前記ネットワークインターフェースからの映像音声データを受信処理する受信手段と、前記映像音声送信装置が前記ネットワークインターフェースを介して接続している場合であっても前記デジタルインターフェースに接続されている場合には、前記デジタルインターフェースを介して前記映像音声送信装置から映像音声データを受信し、前記映像音声送信装置が前記デジタルインターフェースに接続されておらず前記ネットワークインターフェースを介して接続している場合には、前記ネットワークインターフェースを介してデータを受信するように前記ネットワークインターフェース及び前記デジタルインターフェースを制御する制御手段とを具備することを特徴とする。
【発明の効果】
【００１０】
本発明によれば、ネットワーク経由とデジタルインターフェース経由のどちらでも映像音声データを受信できる場合に、デジタルインターフェース経由で安定的に映像音声データを受信できるようになる。
【発明を実施するための最良の形態】
【００１１】
以下、図面を参照して、本発明の実施例を詳細に説明する。
【００１２】
図１は、本発明に係る受信装置の一実施例を組み込んだデジタルテレビの概略構成ブロック図を示す。図２は、図１に示すデジタルテレビと、外部映像音声機器との接続形態の一例を示すブロック図である。
【００１３】
デジタルテレビ１０は、デジタル放送波を受信するアンテナ１２、チューナ１４、画像を表示する表示部１６、音声を出力するスピーカ１８を具備する。デジタル信号処理回路（ＤＳＰ）２０が、チューナ１４からの受信テレビ信号を再製処理し、映像信号を表示部１６に、音声信号をスピーカ１８に出力する。デジタルテレビ１０は更に、リモコン３２からのリモコン信号を受信するリモコン受信部２２、ＬＡＮ（Local Area Network）端子２４、及び２系統のＨＤＭＩ端子２６，２８を具備する。ＣＰＵ３０は、リモコン受信部２２で受信したリモコン３２からのリモコン信号に従い、チューナ１４を制御する。ＣＰＵ３０はまた、ＬＡＮ端子２４を介して外部機器と通信でき、先に説明したようにＨＤＭＩ端子２６，２８を介しても外部機器と通信できる。ＬＡＮ端子２４はいわゆるネットワークインターフェースである。ＨＤＭＩ端子２６，２８は、映像音声データの伝送のためのデジタルインターフェースである。
【００１４】
ＤＳＰ２０は、ＨＤＭＩ端子２６又は同２８からの映像音声データを処理し、映像信号を表示部１６に、音声信号をスピーカ１８に出力することができる。ＣＰＵ３０はＤＳＰ２０と協働して、ＬＡＮ端子２４及びＨＤＭＩ端子２６，２８からの映像音声データを受信処理する受信手段として機能する。
【００１５】
図１に示すデジタルテレビ１０には、図２に示すような構成で、ＨＤＤレコーダ４２及びビデオカメラ４４を接続できる。ＬＡＮのハブ４０に、デジタルテレビ１０のＬＡＮ端子２４がＬＡＮケーブルを介して接続する。ハブ４０には更に、ＨＤＤレコーダ４２、ビデオカメラ４４及びメディアサーバ４６がそれぞれＬＡＮケーブルを介して接続する。デジタルテレビ１０、ＨＤＤレコーダ４２、ビデオカメラ４４及びメディアサーバ４６が同じＬＡＮに所属する。ＨＤＤレコーダ
の映像音声出力端子は、ＨＤＭＩケーブルを介してデジタルテレビ１０のＨＤＭＩ端子２６に接続する。ビデオカメラ４４の映像音声出力端子は、ＨＤＭＩケーブルを介してデジタルテレビ１０のＨＤＭＩ端子２８に接続する。メディアサーバ４６は、例えば、ＤＬＮＡのデジタルメディアサーバ機能を持つパーソナルコンピュータ又はネットワーク接続ハードディスクである。
【００１６】
デジタルテレビ１０は、入力切り替え操作により、ＨＤＭＩ端子２６に接続するＨＤＤレコーダ４２、またはＨＤＭＩ端子２８に接続するビデオカメラ４４を映像音声ソースとして選択できる。また、メニュー等でＤＬＮＡモードを選択すると、ＬＡＮ経由でＨＤＤレコーダ４２、ビデオカメラ４４及びメディアサーバ４６を検出し、ＨＤＤレコーダ４２、ビデオカメラ４４及びメディアサーバ４６のコンテンツを表示部１６に表示することができる。勿論、ＨＤＤレコーダ４２及びビデオカメラ４４は、ＬＡＮ経由での映像音声データの再生出力に対応していることが前提となる。
【００１７】
デジタルテレビ１０で放送波を視聴する場合、チューナ１４が、アンテナ１２で受信した地上デジタル放送波を復調し、指定チャンネルの受信データをＤＳＰ２０に供給する。ＤＳＰ２０は、チューナ１４からのデータをデコードして映像データと音声データを再生し、それぞれ表示部１６とスピーカ１８に出力する。これにより、希望のチャンネルの映像が表示部１６の画面上に表示され、音声がスピーカ１８から出力される。
【００１８】
ネットワークに接続されているメディアサーバ４６に保存されているコンテンツを再生する場合、ユーザは、リモコン３２を操作して操作メニュー等を表示部１６に表示させ、ＤＬＮＡモードに切り替える。ＣＰＵ３０は、ＬＡＮ端子２４が接続するＬＡＮ上のメディアサーバ（図２に示す例では、メディアサーバ４６）を検出し、検出されたメディアサーバのリストを表示部１６に表示する。ユーザは、表示されたメディアサーバのリストから目的の機器を選択又は指定する。ＣＰＵ３０は、ユーザの選択に従う再生機器にＬＡＮ端子２４を介して通信し、当該再生機器からコンテンツリスト（映像音声情報のリスト）を取得する。取得したコンテンツリストは、表示部１６に表示される。ユーザは、リモコン３２でコンテンツリストから再生したい１又は複数のコンテンツを選択又は指定する。ＣＰＵ３０は、選択されたコンテンツの再生を、ＬＡＮ端子２４を介して当該再生機器に要求し、コンテンツデータを取得する。ＤＳＰ２０は、取得したコンテンツデータをデコードし、当該コンテンツの映像データを表示部１６に、音声データをスピーカ１８にそれぞれ供給する。これにより、選択された再生機器からの選択されたコンテンツの映像が表示部１６に表示され、音声がスピーカ１８から出力される。
【００１９】
ＨＤＭＩ端子２６，２８に接続する外部映像音声機器のコンテンツを再生する場合、ユーザは、リモコン３２を操作して外部接続機器一覧メニュー等を表示部１６に表示し、表示された機器一覧から再生機器を選択する。ＣＰＵ３０は、選択された外部映像音声機器が接続するＨＤＭＩ端子２６又は２８に切り替える。これにより、選択された外部映像音声機器からの映像音声データがＤＳＰ２０に入力する。ＤＳＰ２０は、入力する映像音声データを再生処理し、映像信号を表示部１６に、音声信号をスピーカ１８に供給する。これにより、選択された外部映像音声機器からの映像が表示部１６に表示され、音声がスピーカ１８から出力される。
【００２０】
図３を参照して、本実施例における受信装置としての特徴的な動作を説明する。図３は、本実施例の特徴的な動作のフローチャートを示す。
【００２１】
ユーザのリモコン操作によって、デジタルテレビ１０がＤＬＮＡモードに切り替えられると、図３に示すフローがスタートする。
【００２２】
ＨＤＭＩ端子２６に映像音声送信装置である外部機器が接続されているかどうかを調べる（Ｓ１）。接続されている場合（Ｓ１）、その外部機器にＨＤＭＩ端子２６からＩＰアドレス要求コマンドを送信し、当該外部機器のＬＡＮ側のＩＰアドレス（ネットワークアドレス）を取得する（Ｓ２）。ＨＤＭＩのＣＥＣではＶｅｎｄｏｒ  Ｓｐｅｃｉｆｉｃ  Ｃｏｍｍａｎｄｓが定義されており、ベンダー独自の機器制御・通信を行うことができる。この機能を使用して、外部機器の識別情報としてＩＰアドレスを外部機器から取得できる。ＩＰアドレスが取得できた場合、ＣＰＵ３０は、ＨＤＭＩ端子２６に接続する外部機器（図２では、ＨＤＤレコーダ４２）のＩＰアドレス１として記憶する。ＣＥＣ機能に非対応の外部機器や、Ｖｅｎｄｏｒ  Ｓｐｅｃｉｆｉｃ  Ｃｏｍｍａｎｄｓに対応していない外部機器ではＩＰアドレスを取得できない。この場合、例えば、”０．０．０．０”のようなダミーのＩＰアドレスを記憶する。
【００２３】
ＨＤＭＩ端子２８についても同様な処理により、ＨＤＭＩ端子２８に接続されている外部機器のＩＰアドレスを取得する（Ｓ３，Ｓ４）。取得されたＩＰアドレス、又はダミーのＩＰアドレスは、ＩＰアドレス２として記憶される。
【００２４】
次に、ＤＬＮＡで規定されている手順に従い、ＬＡＮに接続するＤＬＮＡデバイスを検出し（Ｓ５）、検出されたＤＬＮＡデバイスを表示部１６に表示する（Ｓ６）。ユーザは、表示されたデバイス一覧から接続したいＤＬＮＡデバイスをリモコン３２で選択する（Ｓ７）。
【００２５】
選択されたＤＬＮＡデバイスのＩＰアドレスが、先に記憶したＩＰアドレス１と一致するかどうかを調べる（Ｓ８）。一致する場合（Ｓ８）、入力用にＨＤＭＩ端子２６に切り替える（Ｓ９）。この状態で、ＨＤＭＩ端子２６を介して外部映像音声機器（図２に示す例では、ＨＤＤレコーダ４２）の動作を制御する。これにより、ＨＤＤレコーダ４２からの映像音声が再生出力される。
【００２６】
一致しない場合（Ｓ８）、選択されたＤＬＮＡデバイスのＩＰアドレスが、先に記憶したＩＰアドレス２と一致するかどうかを調べる（Ｓ１０）。一致する場合（Ｓ１０）、入力用にＨＤＭＩ端子２８に切り替える（Ｓ１１）。この状態で、ＨＤＭＩ端子２８を介して外部映像音声機器（図２に示す例では、ビデオカメラ４４）の動作を制御する。これにより、ビデオカメラ４４からの映像音声が再生出力される。
【００２７】
ＩＰアドレス２とも一致しない場合（Ｓ１０）、デジタルテレビ１０はデジタルメディアプレーヤとして機能する（Ｓ１２）。すなわち、ＣＰＵ３０は、ユーザにより選択された外部機器の映像音声データをＬＡＮ端子２４を介して取得し、ＤＳＰ２０に供給する。ＤＳＰ２０は、先に説明したように、映像音声データを再生し、映像信号を表示部１６に、音声信号をスピーカ１８に供給する。これにより、デジタルテレビ１０は、選択された外部機器の映像音声データをネットワーク経由で受信し、再生する。
【実施例１】
【００２８】
図４は、図１に示す実施例の受信装置としての別の動作フローチャートを示す。ユーザのリモコン操作によって、デジタルテレビ１０がＤＬＮＡモードに切り替えられると、図４に示すフローがスタートする。
【００２９】
まず、ＤＬＮＡで規定されている手順に従い、ＬＡＮに接続するＤＬＮＡデバイスを検出し（Ｓ２１）、検出されたＤＬＮＡデバイスを表示部１６に表示する（Ｓ２２）。ユーザは、表示されたデバイス一覧から接続したいＤＬＮＡデバイスをリモコン３２で選択する（Ｓ２３）。選択されたＤＬＮＡデバイスからＨＤＭＩ機器としての論理アドレス情報（デジタルインターフェースアドレス）を取得する（Ｓ２４）。
【００３０】
ＨＤＭＩ規格では、接続されたＨＤＭＩデバイスに対してＨＤＭＩバス上で一意な論理アドレスが割り当てられ、その論理アドレスを取得し記憶する。ＤＬＮＡではＤＬＮＡデバイスからＸＭＬフォーマットで種々の情報を取得することができる。たとえば、ＸＭＬデータにメタデータとしてＨＤＭＩ機器としての論理アドレスをセットすることで、この論理アドレスを当該外部機器の識別情報として取得できる。選択されたＤＬＮＡデバイスがＨＤＭＩ端子に接続されていない場合、たとえば、ＨＤＭＩでは使用されない論理アドレス値をダミーの論理アドレス値として記憶する。
【００３１】
ステップＳ２４で記憶した論理アドレスが、ＨＤＭＩ端子２６に接続されている外部機器の論理アドレスと一致するか否かを判定する（Ｓ２５）。一致した場合（Ｓ２５）、ＤＬＮＡからＨＤＭＩ端子２６への切替えをユーザに問い合わせるメッセージを表示部１６に表示する（Ｓ２６）。ユーザがＨＤＭＩ端子２６への切り替えを許可したら（Ｓ２７）、ＨＤＭＩ端子２６からの映像音声入力に切り替える（Ｓ２８）。ユーザがＨＤＭＩ端子２６への切り替えを許可しなければ（Ｓ２７）、ＤＬＮＡに従ったＬＡＮ経由でのデジタルメディアプレーヤによる再生処理を実行する（Ｓ３３）。
【００３２】
ステップＳ２４で記憶した論理アドレスが、ＨＤＭＩ端子２６に接続されている外部機器の論理アドレスに一致しない場合（Ｓ２５）、ＨＤＭＩ端子２８に接続されている外部機器の論理アドレスと一致するか否かを判定する（Ｓ２９）。一致した場合（Ｓ２９）、ＤＬＮＡからＨＤＭＩ端子２８への切替えをユーザに問い合わせるメッセージを表示部１６に表示する（Ｓ３０）。ユーザがＨＤＭＩ端子２８への切り替えを許可したら（Ｓ３１）、ＨＤＭＩ端子２８からの映像音声入力に切り替える（Ｓ３２）。ユーザがＨＤＭＩ端子２８への切り替えを許可しなければ（Ｓ３１）、ＤＬＮＡに従ったＬＡＮ経由でのデジタルメディアプレーヤによる再生処理を実行する（Ｓ３３）。
【００３３】
ステップＳ２４で記憶した論理アドレスが、ＨＤＭＩ端子２８に接続されている外部機器の論理アドレスとも一致しない場合（Ｓ２９）、選択されたＤＬＮＡデバイスはＨＤＭＩ端子２６，２８のどちらにも接続されていないことになる。このとき、ＤＬＮＡに従ったＬＡＮ経由でのデジタルメディアプレーヤによる再生処理を実行する（Ｓ３３）。
【実施例２】
【００３４】
図５は、図１に示す実施例の受信装置としての更に別の動作フローチャートを示す。ユーザのリモコン操作によって、デジタルテレビ１０がＤＬＮＡモードに切り替えられると、図５に示すフローがスタートする。図３とは、ＩＰアドレスを使う代わりにデバイス名を使用する点が異なる。
【００３５】
ＨＤＭＩ端子２６に外部機器が接続されているかどうかを調べる（Ｓ４１）。接続されている場合（Ｓ４１）、その外部機器にＨＤＭＩ端子２６からデバイス名要求コマンドを送信し、当該外部機器のデバイス名を識別情報として取得する（Ｓ４２）。ＨＤＭＩのＣＥＣではＤｅｖｉｃｅ  ＯＳＤ  Ｎａｍｅ  Ｔｒａｎｓｆｅｒが定義されており、この機能を使用してデバイス名を取得できる。デバイス名が取得できた場合、ＣＰＵ３０は、ＨＤＭＩ端子２６に接続する外部機器（図２では、ＨＤＤレコーダ４２）のデバイス名をデバイス名１として記憶する。ＣＥＣ機能に非対応の外部機器や、Ｄｅｖｉｃｅ  ＯＳＤ  Ｎａｍｅ  Ｔｒａｎｓｆｅｒに対応していない外部機器ではダミーのデバイス名を記憶する。
【００３６】
ＨＤＭＩ端子２８についても同様な処理により、ＨＤＭＩ端子２８に接続されている外部機器のデバイス名を取得する（Ｓ４３，Ｓ４４）。取得されたデバイス名は、又はダミーのデバイス名は、デバイス名２として記憶される。
【００３７】
次に、ＤＬＮＡで規定されている手順に従い、ＬＡＮに接続するＤＬＮＡデバイスを検出し（Ｓ４５）、検出されたＤＬＮＡデバイスを表示部１６に表示する（Ｓ４６）。ユーザは、表示されたデバイス一覧から接続したいＤＬＮＡデバイスをリモコン３２で選択する（Ｓ４７）。
【００３８】
選択されたＤＬＮＡデバイスのデバイス名が、先に記憶したデバイス名１と一致するかどうかを調べる（Ｓ４８）。一致する場合（Ｓ４８）、入力用にＨＤＭＩ端子２６に切り替える（Ｓ４９）。この状態で、ＨＤＭＩ端子２６を介して外部映像音声機器（図２に示す例では、ＨＤＤレコーダ４２）の動作を制御する。これにより、ＨＤＤレコーダ４２からの映像音声が再生出力される。
【００３９】
一致しない場合（Ｓ４８）、選択されたＤＬＮＡデバイスのデバイス名が、先に記憶したデバイス名２と一致するかどうかを調べる（Ｓ５０）。一致する場合（Ｓ５０）、入力用にＨＤＭＩ端子２８に切り替える（Ｓ５１）。この状態で、ＨＤＭＩ端子２８を介して外部映像音声機器（図２に示す例では、ビデオカメラ４４）の動作を制御する。これにより、ビデオカメラ４４からの映像音声が再生出力される。
【００４０】
デバイス名２とも一致しない場合（Ｓ５０）、デジタルテレビ１０はデジタルメディアプレーヤとして機能する（Ｓ５２）。すなわち、ＣＰＵ３０は、ユーザにより選択された外部機器の映像音声データをＬＡＮ端子２４を介して取得し、ＤＳＰ２０に供給する。ＤＳＰ２０は、先に説明したように、映像音声データを再生し、映像信号を表示部１６に、音声信号をスピーカ１８に供給する。これにより、デジタルテレビ１０は、選択された外部機器の映像音声データをネットワーク経由で受信し、再生する。
【００４１】
映像データと音声データを一体に受信する装置を説明したが、本発明は、映像データのみを受信する場合、音声データのみを受信する場合にも適用可能である。即ち、本明細書における映像音声は、映像のみからなる場合、音声のみからなる場合、映像と音声からなる場合のいずれをも包含する。
【図面の簡単な説明】
【００４２】
【図１】本発明の一実施例の概略構成ブロック図である。
【図２】本実施例のデジタルテレビ１０に２つの外部機器を接続した構成のブロック図である。
【図３】本実施例の特徴的な動作のフローチャートである。
【図４】本実施例の特徴的な動作の第２のフローチャートである。
【図５】本実施例の特徴的な動作の第３のフローチャートである。
【符号の説明】
【００４３】
１０：デジタルテレビ
１２：アンテナ
１４：チューナ
１６：表示部
１８：スピーカ
２０：デジタル信号処理回路（ＤＳＰ）
２２：リモコン受信部
２４：ＬＡＮ端子
２６，２８：ＨＤＭＩ端子
３０：ＣＰＵ
３２：リモコン
４０：ハブ
４２：ＨＤＤレコーダ
４４：ビデオカメラ
４６：メディアサーバ
【図１】
2009200788.tif 000003
【図２】
2009200788.tif 000004
【図３】
2009200788.tif 000005
【図４】
2009200788.tif 000006
【図５】
2009200788.tif 000007